(57)【要約】【課題】面状の拡散配向と指向性のある配向とをそれぞれ個別あるいは組み合わせて行うことが可能でありながら、設置のための占有面積の増加を抑制することができ、また、デザイン的にも優れた照明装置を提供する。【解決手段】照明装置１は、第１光源と取付孔１１ａが穿設された導光板１１とを有し、第１光源から導光板１１に入射した光を導光板１１の表面ａの出射面から面状に出射する第１照明器具１０と、取付孔１１ａに取り付けられるとともに第１光源に対して個別に点灯・消灯が可能な第２光源を有し、第２光源からの光を指向性のある光として出射する第２照明器具２０とを備える。【選択図】図１
2016108278.tif 000002
【特許請求の範囲】
【請求項１】
第１光源と、取付孔が穿設された導光板とを有し、前記第１光源から前記導光板に入射した光を前記導光板の表面の出射面から面状に出射する第１照明器具と、
前記取付孔に取り付けられるとともに前記第１光源に対して個別に点灯・消灯が可能な第２光源を有し、前記第２光源からの光を指向性のある光として出射する第２照明器具と、を備える、
ことを特徴とする照明器具。
【請求項２】
前記導光板は、
前記出射面から面状に出射する光が均一になるように加工されている、
ことを特徴とする請求項１に記載の照明装置。
【請求項３】
前記導光板は、
正方形又は長方形に形成されるとともに、相互に対向する一対の端面から等距離にある中心線上の任意の位置に前記取付孔が穿設され、
前記第１光源は、
前記一対の端面のそれぞれに沿って配設されている、
ことを特徴とする請求項２に記載の照明装置。
【請求項４】
前記導光板は、
正方形又は長方形に形成されるとともに、中心に、前記取付孔が穿設され、
前記第１光源は、
前記正方形又は長方形の二対の端面のうちの、少なくとも一対の端面のそれぞれに沿って配設されている、
ことを特徴とする請求項２に記載の照明装置。
【請求項５】
前記導光板は、
円形に形成されるとともに、中心に前記取付孔が穿設され、
前記第１光源は、
前記円形の外周の端面に沿って配設されている、
ことを特徴とする請求項２に記載の照明装置。
【請求項６】
前記取付孔は、
内周面に、遮光処理が施されている、
ことを特徴とする請求項１ないし５のいずれか１項に記載の照明装置。
【請求項７】
前記取付孔に装着されるとともに前記第２照明器具を保持する環状の取付ホルダを備える、
ことを特徴とする請求項１ないし６のいずれか１項に記載の照明装置。
【発明の詳細な説明】
【技術分野】
【０００１】
本発明は、導光板を使用した面状の照明器具と、他の照明器具とを組み合わせた照明装置に関する。
【背景技術】
【０００２】
導光板を使用した照明装置が、特許文献１，２に開示されている。【０００３】
このうち特許文献１の照明装置は、導光板を表裏方向に貫通する貫通孔（開口部）を設け、この貫通孔にＬＥＤを装着して光制御部材で閉鎖している。この照明装置は、ＬＥＤから出た光は、直接あるいは光制御部材で反射されて開口部の内周面に入射し、導光板の表面から面状に出射されて拡散配向される。なお、光反射部材は、照明装置を下から見上げた際の不快グレアを低減するものである。【０００４】
一方、特許文献２の照明装置は、主光源の反射板における開口部の周囲に環状の導光板が配設されている。この導光板の内周面には複数のＬＥＤ（副光源）が配設されていて、ＬＥＤから出射された光は、導光板のリング状の外周面（端面）から放射される。放射された光の一部は、天井面を照射して間接照明となる。この照明装置においては、主光源とＬＥＤ（副光源）とは、独立して点灯又は消灯することができる。
【先行技術文献】
【特許文献】
【０００５】
【特許文献１】特開２０１２−６４３４４号公報
【特許文献２】特開２０１０−２０５４３９号公報
【発明の概要】
【発明が解決しようとする課題】
【０００６】
しかしながら、特許文献１の照明装置は、導光板の貫通孔に光源としてのＬＥＤが配設されてはいるものの、この光源は、導光板用の光源であり、この光源の外には光源は有しておらず、全体として、導光板による面状の拡散配向を行うのみである。【０００７】
一方、特許文献２の照明装置は、主光源とＬＥＤ（副光源）とはそれぞれ独立して点灯又は消灯することができるものの、ＬＥＤからの光は、導光板の外周面から放射されて天井面を照射して間接照明を行う。つまり、主光源による指向性のある配向がメインであり、導光板を使用した照明は、あくまでも補助的な照明に過ぎない。【０００８】
以上の特許文献１，２の照明装置は、面状の拡散配向と指向性のある配向とをそれぞれ個別にあるいは組み合わせて照明を行うことはできない。【０００９】
なお、例えば、天井面にそれぞれ面状の拡散配向と指向性のある配向とが可能な２種類の照明器具を隣接させて照明装置を構成すれば、拡散配向及び指向性のある配向のそれぞれ個別にあるいは組み合わせて行うことが可能である。【００１０】
しかし、この場合には、２種類の照明器具が隣接して設置されているため、設置のための占有面積が広くなり、また、外観上もデザイン的に劣ることになる。【００１１】
本発明は、上述事情に鑑みてなされたものであり、面状の拡散配向と指向性のある配向とをそれぞれ個別あるいは組み合わせて行うことが可能でありながら、設置のための占有面積の増加を抑制することができ、また、デザイン的にも優れた照明装置を提供することを目的とするものである。
【課題を解決するための手段】
【００１２】
請求項１に係る発明は、照明器具において、第１光源と、取付孔が穿設された導光板とを有し、前記第１光源から前記導光板に入射した光を前記導光板の表面の出射面から面状に出射する第１照明器具と、前記取付孔に取り付けられるとともに前記第１光源に対して個別に点灯・消灯が可能な第２光源を有し、前記第２光源からの光を指向性のある光として出射する第２照明器具と、を備える、ことを特徴とする。【００１３】
請求項２に係る発明は、請求項１に係る照明装置において、前記導光板は、前記出射面から面状に出射する光が均一になるように加工されている、ことを特徴とする。【００１４】
請求項３に係る発明は、請求項２に係る照明装置において、前記導光板は、正方形又は長方形に形成されるとともに、相互に対向する一対の端面から等距離にある中心線上の任意の位置に前記取付孔が穿設され、前記第１光源は、前記一対の端面のそれぞれに沿って配設されている、ことを特徴とする。【００１５】
請求項４に係る発明は、請求項２に係る照明装置において、前記導光板は、正方形又は長方形に形成されるとともに、中心に、前記取付孔が穿設され、前記第１光源は、前記正方形又は長方形の二対の端面のうちの、少なくとも一対の端面のそれぞれに沿って配設されている、ことを特徴とする。【００１６】
請求項５に係る発明は、請求項２に係る照明装置において、前記導光板は、円形に形成されるとともに、中心に前記取付孔が穿設され、前記第１光源は、前記円形の外周の端面に沿って配設されている、ことを特徴とする。【００１７】
請求項６に係る発明は、請求項１ないし５のいずれか１項に係る照明装置において、前記取付孔は、内周面に、遮光処理が施されている、ことを特徴とする。【００１８】
請求項７に係る発明は、請求項１ないし６のいずれか１項に係る照明装置において、前記取付孔に装着されるとともに前記第２照明器具を保持する環状の取付ホルダを備える、ことを特徴とする。
【発明の効果】
【００１９】
請求項１の照明装置によれば、第１照明器具は、第１光源と、取付孔が穿設された導光板とを有し、第１光源から導光板に入射した光を導光板の表面の出射面から面状に出射する。第２光源は、取付孔に取り付けられるとともに第１光源に対して個別に点灯・消灯が可能な第２光源を有し、第２光源からの光を指向性のある光として出射する。【００２０】
このように、照明装置は、第１光源と第２光源とが個別に点灯・消灯できるので、第１照明器具による面状の拡散配光と、第２照明器具による指向性のある配光とをそれぞれ個別に行い、あるいは組み合わせて複合配光を行うことができる。また、照明装置は、第１照明器具の導光板の取付孔に第２照明器具が取り付けられるので、両者を個別に配設する場合と異なり、設置のための占有面積を狭くすることができ、さらに、デザイン的にも優れたものとすることができる。【００２１】
請求項２の照明装置によれば、導光板は、出射面から面状に出射する光が均一になるように加工されているので、表面からムラのない均一な光を出射することができる。【００２２】
請求項３の照明装置によれば、導光板は、正方形又は長方形に形成されるとともに、相互に対向する一対の端面から等距離にある中心線上の任意の位置に取付孔が穿設され、第１光源は、一対の端面のそれぞれに沿って配設されている。【００２３】
これにより、一対の端面のうちの一方及び他方にそれぞれ配設した第１光源により、それぞれ主に導光板の表面における中心線までの半分の領域から均一な面状の光を出射することができるので、導光板に取付孔を穿設することに起因する出射光の均一性の低下を抑制することができる。【００２４】
なお、例えば、導光板が正方形又は長方形に形成されていて、４つの端面のうちの１つの端面にのみ第１光源が配設されている場合には、第１光源から出て対向する端面に向かう光は、取付孔で中断されるために、この取付孔よりも下流側には光がいかない部分ができて、出射光の均一性の低下を招くおそれがある。【００２５】
請求項４の照明装置によれば、導光板は、正方形又は長方形に形成されるとともに、中心に、取付孔が穿設され、第１光源は、正方形又は長方形の二対の端面のうちの、少なくとも一対の端面のそれぞれに沿って配設されている、ことを特徴とする。【００２６】
これにより、導光板に取付孔を穿設することに起因する出射光の均一性の低下を抑制することができる。【００２７】
請求項５の照明装置によれば、導光板は、円形に形成されるとともに、中心に取付孔が穿設され、第１光源は、円形の外周の端面に沿って配設されている。【００２８】
これにより、導光板が円形であっても、導光板の表面から均一な面状の光を射することができる。【００２９】
請求項６の照明装置によれば、取付孔は、内周面に、遮光処理が施されているので、取付孔の内周面に当たった光による反射グレアを抑制することができる。【００３０】
請求項７の照明装置によれば、取付孔に装着されるとともに第２照明器具を保持する環状の取付ホルダを備えるので、導光板に対する第２照明器具の着脱が容易となる。
【図面の簡単な説明】
【００３１】
【図１】図１〜図７は実施形態１の照明装置１を説明する図であり、図１（Ａ）〜（Ｆ）はダウンライト２０Ａを備えた照明装置１を説明する図であり、このうち（Ａ）は正面図、（Ｂ）は平面図、（Ｃ）は背面図、（Ｄ）は左側面図、（Ｅ）は右側面図、（Ｆ）は底面図であり、また、（Ａ´）はダウンライト２０Ａに代えてダウンライト２０Ｂを備えた照明装置１の正面図である。
【図２】（Ａ）は導光板１１に取付ホルダ３０を介してダウンライト２０Ａを取り付けた状態を説明する図であり、（Ｂ）は取付ホルダ３０単体の底面図であり、（Ａ´）は導光板１１に取付ホルダ３０を介してダウンライト２０Ｂを取り付けた状態を説明する図である。なお、（Ａ）は一部を断面で示し、（Ａ´）は（Ｂ）中のＡ−Ａ線矢視図に相当する図である。
【図３】（Ａ）〜（Ｃ）は取付ホルダ３０を説明する図であり、このうち（Ａ）は正面図、（Ｂ）は底面図、（Ｃ）は（Ｂ）中のＡ−Ａ線矢視図である。
【図４】照明装置１を取付装置４０によって天井Ｃに設置した状態を説明する一部破断斜視図である。
【図５】（Ａ）〜（Ｃ）は取付装置４０によって天井Ｃに設置された照明装置１を説明する図であり、このうち（Ａ）は平面図、（Ｂ）は（Ａ）中のＡ−Ａ線矢視図、（Ｃ）は（Ａ）中のＢ−Ｂ線矢視図である。
【図６】図５（Ｂ）中のＰ部分の拡大図である。
【図７】（Ａ）〜（Ｃ）は取付装置４０に対する照明装置１の着脱動作を説明する図である。
【図８】（Ａ）〜（Ｃ）は実施形態２の照明装置２を説明する図であり、このうち（Ａ）は正面図、（Ｂ）は平面図、（Ｃ）は右側面図である。
【図９】（Ａ）〜（Ｃ）は取付装置４０によって天井Ｃに設置された照明装置２を説明する図であり、このうち（Ａ）は底面図、（Ｂ）は（Ａ）中のＡ−Ａ線矢視図、（Ｃ）は（Ａ）中のＢ−Ｂ線矢視図である。
【図１０】（Ａ）〜（Ｃ）は実施形態２の他の照明装置２Ａを説明する図であり、このうち（Ａ）は正面図、（Ｂ）は平面図、（Ｃ）は右側面図である。
【図１１】実施形態３の照明装置３を示す平面図である。
【図１２】（Ａ）〜（Ｊ）は正方形の導光板１１及び長方形の導光板１１Ａと、第２照明器具２０の数及び位置と、第１光源１２の位置との組み合わせパターンを説明する模式図である。
【図１３】図１３、図１４は、実施形態５の照明装置５を説明する図であり、図１３はレール部材Ｒに対する照明装置５の取付けを説明する斜視図である。
【図１４】取付ホルダ５０を説明する分解斜視図である。
【発明を実施するための形態】
【００３２】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００３３】
＜実施形態１＞
図１〜図７を参照して本発明を適用した実施形態１に係る照明装置１について説明する。
【００３４】
このうち、図１（Ａ）〜（Ｆ）は、第２照明器具２０としてアジャスタブルタイプのダウンライト２０Ａを備えた照明装置１を説明する図であり、（Ａ）は正面図、（Ｂ）は平面図（裏面側（上側）から見た図）、（Ｃ）は背面図、（Ｄ）は左側面図、（Ｅ）は右側面図、（Ｆ）は底面図（表面側（下側）から見た図）であり、また、（Ａ´）は第２照明器具２０として埋め込みタイプのダウンライト２０Ｂを備えた照明装置１の正面図である。
【００３５】
また、図２（Ａ）は、導光板１１に取付ホルダ３０を介してダウンライト２０Ａを取り付けた状態を説明する図であり、（Ｂ）は、取付ホルダ３０単体の底面図であり、（Ａ´）は、導光板１１に取付ホルダ３０を介してダウンライト２０Ｂを取り付けた状態を説明する図である。なお、（Ａ）は一部を断面で示し、（Ａ´）は（Ｂ）中のＡ−Ａ線矢視図に相当する図である。
【００３６】
また、図３（Ａ）〜（Ｃ）は、取付ホルダ３０を説明する図であり、このうち（Ａ）は正面図、（Ｂ）は底面図、（Ｃ）は（Ｂ）中のＡ−Ａ線矢視図である。
【００３７】
残りの図４〜図７については後に説明する。
【００３８】
なお、以下では、照明装置１が部屋の天井Ｃ（図４参照）に設置されて床面（不図示）を照射する場合を例に説明するが、これに限定されるものではない。
【００３９】
照明装置１は、図１に示すように、第１照明器具１０及び第２照明器具２０を備えている。つまり、照明装置１は、第１照明器具１０と第２照明器具２０とを組み合わせて構成されている。なお、以下では、第２照明器具２０がアジャスタブルタイプのダウンライト２０Ａや埋め込みタイプのダウンライト２０Ｂである場合を例に説明するが、これらに限定されるものではない。例えば、第２照明器具２０は、床面と壁面とを照射するウォールウォッシャータイプのダウンライト（不図示）であってもよい。
【００４０】
第１照明器具１０は、導光板１１と第１光源１２（図６参照）とを有している。
【００４１】
導光板１１は、図１に示すように、正方形の板状に形成されていて、光の出射面となる表面ａ（下面：部屋の床面に対向する面）、裏面ｂ（上面：天井裏を向く面）、及び４つの端面ｃ，ｄ，ｅ，ｆを有している。ここで、第１照明器具１０の前後左右の向きについて、端面ｃ側を「前」、端面ｅ側を「後」、端面ｄ側を「左」、端面ｆ側を「右」とする。これに従うと、端面ｃは「前の端面」、端面ｅは「後の端面」、端面ｄは「左の端面」、端面「ｆ」は「右の端面」となる。
【００４２】
導光板１１は、図２（Ａ）に示すように、透明なアクリル板１３の表面１３ａ側に拡散板１４が積層され、裏面１３ｂ側に反射板１５が積層されて形成されている。また、アクリル板１３の裏面１３ｂには、白色インクでシルク印刷された多数の反射ドット（不図示）からなるドットパターンが構成されている（シルク印刷方式）。
【００４３】
ここで、図１（Ｂ）に示す２本の中心線のうち、第１光源１２（図６参照）が配設された一対の端面から等距離にある一方の中心線を第１の中心線Ｃｎ（以下単に、中心線Ｃｎという）とし、他方の中心線を第２の中心線Ｃｍ（以下単に、中心線Ｃｍという）とする。つまり、中心線Ｃｎを挟む一対の端面には、第１光源１２が配設されているが、中心線Ｃｍを挟む一対の端面には、第１光源１２が配設されていない場合と配設されている場合とがある。なお、図示例では、第１光源１２は、中心線Ｃｎを挟む一対の端面ｄ，ｆには配設されているが、中心線Ｃｍを挟む一対の端面ｃ，ｅには、配設されていない。図１２で説明するように、第１光源１２は、中心線Ｃｍを挟む一対の端面ｃ，ｅに、配設されている場合もある。
【００４４】
導光板１１の反射ドットのドットパターンは、第１光源１２に近い一対の端面ｄ，ｆに近いほど小さく、かつ中心線Ｃｎに近いほど大きくなるように形成されている。これにより、導光板１１の表面ａから面状の光（出射光）が均一に出射されるようになっている。
【００４５】
なお、導光板１１としては、上述のシルク印刷方式の外に、例えば、スタンパーやインジェクションでアクリル板に凹凸を付ける成型方式、アクリル板と反射板とをドット状の粘着剤で張り付けた粘着ドット方式、機械的にあるいは非接触レーザーによりアクリル板に溝を掘る溝加工方式のものを使用することもできる。
【００４６】
図１に示すように、導光板１１は、端面ｃ〜ｆのそれぞれに沿ってフレーム１６が取り付けられている。４つのフレーム１６は、全体として導光板１１を囲む額縁状となっている。
【００４７】
第１光源１２は、左右の一対の端面ｄ，ｆに固定されたフレーム１６の内側に、端面ｄ，ｆに対向するように配設されている。第１光源１２は、図６に示すように、端面ｄ，ｆに沿って配設された基板１２ａと、この基板１２ａに沿って多数配設されたＬＥＤ１２ｂとを有している。これらＬＥＤ１２ｂは、端面ｄ，ｆに対向するように配置されていて、ＬＥＤ１２ｂから発光された光（以下適宜「第１の光」という）は、端面ｄ，ｆに入射される。
【００４８】
一方の端面ｄに入射された第１の光は、導光板１１の表面ａのうちの、端面ｄと中心線Ｃｎとの間に位置する部分から均一に出射されて拡散配向を行う。一方、他方の端面ｆに入射された第１の光は、導光板１１の表面ａのうちの、端面ｆと中心線Ｃｎとの間に位置する部分から均一に出射されて拡散配向を行う。
【００４９】
このように、左右の一対の端面ｄ，ｆにそれぞれ個別に第１光源１２を配設し、導光板１１における中心線Ｃｎから端面ｄ側に位置する部分と端面ｆ側に位置する部分とから第１の光を均一に出射させることにより、次に説明する取付孔１１ａを穿設することに起因する、出射光の均一性の低下を抑制するようにしている。
【００５０】
なお、第１光源１２としては、上述のもの以外に、例えば、電球、エレクトロルミネセンスパネル、１本又は複数の冷陰極管、熱陰極蛍光灯、レーザー等を使用したものでもよい。
【００５１】
導光板１１の中心線Ｃｎ上には、取付孔１１ａが形成されている。取付孔１１ａは、導光板１１を表面ａ側から裏面ｂ側に、表裏方向に貫通している。取付孔１１ａは円形に形成されていて、中心線Ｃｎ上でかつ、前後の一対の端面ｃ，ｅの中心に配置されている。つまり、取付孔１１ａは、正方形の導光板１１の中心に形成されている。
【００５２】
なお、取付孔１１ａとしては、上述の円形のものに限定されるものではなく、他の形状、例えば、正方形、正多角形、長方形等のものであってもよい。
【００５３】
取付孔１１ａには、遮光処理が施されている。導光板１１に取付孔１１ａを形成した場合、後述する第１光源１２からの第１の光の一部が、図２（Ａ）に示す取付孔１１ａの内周面１１ｂから漏れて、下から見上げるとリング状に光って見えるおそれがある。この漏れる光を防止するために遮光処理を施すことが有効である。遮光処理としては、例えば、内周面１１ｂに、ラッカー、アクリル、エナメル等の塗料を、刷毛塗り、吹き付け等によって塗布することが有効である。また、内周面１１ｂに遮光テープを貼着するようにしてもよい。
【００５４】
なお、本実施形態では、遮光処理として、取付孔１１ａの内周面１１ｂに次に説明する取付ホルダ３０を係合させて、この取付ホルダ３０によって内周面１１ｂの全体を覆ってしまうことで、内周面１１ｂからの第１の光の漏れを防止している。
【００５５】
以上説明した第１照明器具１０に対し、第２照明器具２０は、取付ホルダ３０を介して取付孔１１ａに取り付けられている。なお、第２照明器具２０としては、例えば、アジャスタブルタイプのダウンライト２０Ａ、埋め込みタイプのダウンライト２０Ｂ、ウォールウォッシャータイプのダウンライト（不図示）等を使用することができるが、これらはいずれも共通の取付ホルダ３０によって、第１照明器具１０の導光板１１に取り付けることが可能である。
【００５６】
図２，図３に示すように、取付ホルダ３０は、筒状部３１と、この筒状部３１の上端の２箇所から外側に向かって舌片状に突設された取付部３２とを有している。筒状部３１の外周面における下端側には、係合面３１ａが形成されている。この係合面３１ａは、上述の導光板１１の取付孔１１ａの内周面１１ｂに係合されて、内周面１１ｂ全体を覆っている。
【００５７】
つまり、係合面３１ａは、取付孔１１ａの内周面１１ｂからの第１の光の漏れを防止する遮光処理を行う。係合面３１ａの下端３１ｂは、導光板１１の表面ａよりもわずかに下方に位置している。これは、後述するように、取付装置４０によって照明装置１を張架した際に、ダウンライト２０Ａの自重によって導光板１１が下方に撓んだ際に、この下端３１ｂが導光板１１の表面ａと一致するようにするものである。
【００５８】
筒状部３１の下端側における内面は、上側ほど直径が小さくなるテーパ面３１ｃとなっている。さらに、このテーパ面３１ｃの上端３１ｄは、ダウンライト２０Ａのコーン２１Ａの下端のフランジ部２１ａによって覆われている。このように、取付ホルダ３０は、テーパ面３１ｃの上端３１ｄがコーン２１Ａのフランジ部２１ａによって覆われ、かつテーパ面３１ｃのテーパ角度が第２光源２２Ａからの光（以下適宜、第２の光という）第２の光が当たらないような角度に設定されることで、第２の光の反射を防止するようになっている。
【００５９】
取付ホルダ３０におけるテーパ面３１ｃの内側の領域は、第２の光の通過を許容する光通過部Ｋとなっている。
【００６０】
取付ホルダ３０の筒状部３１における上端側には、筒状部３１を内外に貫通するボルト孔３１ｅが穿設されている。ダウンライト２０Ａのコーン２１Ａを取付ホルダ３０に固定する際には、筒状のアダプタ３３によって、取付ホルダ３０の下端３１ｂ近傍との間にコーン２１Ａのフランジ部２１ａの外周縁を挟み込む。ボルト孔３１ｅは、このアダプタ３３を取付ホルダ３０に固定するための固定ボルト（不図示）が貫通するためのものである。
【００６１】
なお、図２（Ａ´）に示す埋め込みタイプのダウンライト２０Ｂのコーン２１Ｂを取付ホルダ３０に固定する際には、アダプタ３３は不要であり、これを固定するためのボルト孔３１ｅは、図示のように不要であるが、ボルト孔３１ｅを有する取付ホルダ３０を使用することにより、アジャスタブルタイプのダウンライト２０Ａと埋め込みタイプのダウンライト２０Ｂとに共通に使用することができる。なお、この取付ホルダ３０は、例えば、ウォールウォッシャータイプのダウンライト（不図示）等、他の第２照明器具（不図示）に対しても共通で使用できるようにしておけば、取付ホルダ３０を換えることなく、種々の第２照明器具を比較的容易に固定することができる。
【００６２】
取付ホルダ３０の取付部３２には、これを上下方向に貫通するボルト孔３２ａが穿設されている。取付部３２と導光板１１との間にスリーブ３４を挿入し、ボルト孔３２ａ及びスリーブ３４を上から貫通する固定ボルト（不図示）の先端を導光板１１に螺合させることで、取付ホルダ３０を導光板１１の取付孔１１ａに固定することができる。
【００６３】
第２照明器具２０としてのアジャスタブルタイプのダウンライト２０Ａは、図２（Ａ）に示すように、第２光源２２Ａが装着された本体２３Ａ、リフレクター２４Ａ、アーム２５Ａ、及びコーン２１Ａを有している。
【００６４】
なお、以下では、アジャスタブルタイプのダウンライト２０Ａの第２光源２２Ａと、埋め込みタイプのダウンライト２０Ｂの第２光源２２Ｂとを総称して呼ぶ場合には、適宜、第２光源２２という。
【００６５】
リフレクター２４Ａは、本体２３Ａに収納されている。アーム２５Ａは、コーン２１Ａに対して、本体２３Ａを、例えば、４５度程度、相対傾斜可能に支持している。ダウンライト２０Ａは、上述のように、導光板１１に固定された取付ホルダ３０に、コーン２１Ａを固定することで、導光板１１の裏面側に配設されている。つまり、導光板１１は、取付ホルダ３０を介してダウンライト２０Ａ全体を支持している。第２光源２２Ａから発生された第２の光は、導光板１１の裏面側から光通過部Ｋ（取付孔１１ａ）を通り表面側から出射される。
【００６６】
また、第２照明器具２０としての埋め込みタイプのダウンライト２０Ｂは、図２（Ａ´）に示すように、第２光源２２Ｂが装着された本体２３Ｂ、リフレクター２４Ｂ、及びコーン２１Ｂを有している。リフレクター２４Ｂは、本体２３Ｂに収納されている。ダウンライト２０Ｂは、上述のように、導光板１１に固定された取付ホルダ３０に、コーン２１Ｂを固定することで、導光板１１の裏面側に配設されている。つまり、導光板１１は、取付ホルダ３０を介してダウンライト２０Ｂ全体を支持している。第２光源２２Ｂから発生された第２の光は、導光板１１の裏面側から光通過部Ｋ（取付孔１１ａ）を通り表面側から出射される。
【００６７】
以上説明した第１照明器具１０の第１光源１２及び第２照明器具２０の第２光源２２は、ドライバー（不図示）によって制御される。それぞれ個別に（独立して）点灯・消滅、輝度等が制御される。
【００６８】
上述構成の照明装置１は、図４〜図７に示す取付装置４０を介して天井Ｃに設置される。
【００６９】
このうち、図４は、照明装置１を取付装置４０によって天井Ｃに設置した状態を説明する一部破断斜視図である。
【００７０】
また、図５（Ａ）〜（Ｃ）は、取付装置４０によって天井Ｃに設置された照明装置１を説明する図であり、このうち（Ａ）は平面図、（Ｂ）は（Ａ）中のＡ−Ａ線矢視図、（Ｃ）は（Ａ）中のＢ−Ｂ線矢視図である。
【００７１】
また、図６は、図５（Ｂ）中のＰ部分の拡大図である。
【００７２】
また、図７（Ａ）〜（Ｃ）は取付装置４０に対する照明装置１の着脱動作を説明する図である。
【００７３】
なお、図４〜図７においては、ドライバーや電源は図示を省略している。これらは、例えば、後述する取付装置４０のケース４１に取り付けることができる。
【００７４】
図４に示すように、天井Ｃには、上端がコンクリートに埋め込まれた複数のハンガー（支持棒）Ｂｏが吊架されている。これらハンガーＢｏの下端に、複数のレール部材Ｒが水平に支持されている。レール部材Ｒは、断面形状が「逆Ｔ」字形となっている。レール部材Ｒは、図４，図６に示すように、その下端部の一部を、天井板Ｃ１の端部に下方から係合させることで、天井板Ｃ１を支持している。
【００７５】
図４〜図６に示すように、取付装置４０は、２本の平行なレール部材Ｒに架け渡すようにして支持されている。
【００７６】
取付装置４０は、底面が開口された箱状のケース４１を有している。ケース４１は、天板４２と、４つの側板、すなわち前の側板４３ａ、左の側板４３ｂ、後の側板４３ｃ、右の側板４３ｄとによって形成されている。
【００７７】
右の側板４３ｄの外面の下端には、外側に向けて、「Ｌ」字形の、前後方向に長いガイド部４４が設けてある。ガイド部４４は、レール部材Ｒの上部に係合されている。なお、図６に示すように、ガイド部４４に対応して、外れ止め４４ａが設けてある。
【００７８】
右の側板４３ｄの内面における下端側には、前後方向の２箇所にステー４５が設けられている。これらステー４５には前後方向に長い長孔４５ａが形成されている。この長孔４５ａには、照明装置１側の、後述する「Ｖ」字形のばね部材１８が下方から挿入されている。
【００７９】
右の側板４３ｄの内面の下端側における前側のステー４５よりもさらに前側、及び２個のステー４５の間には、ストッパ４６が固定されている。ストッパ４６の下端は、導光板１１のフレーム１６が下方から当接される当接部４６ａとなっている。ストッパ４６は、上側に上下方向に長い長孔４６ｂ（図７（Ａ）参照）が形成されていて、この長孔４６ｂを貫通する調整ボルト（不図示）により右の側板４３ｄの内面に固定されている。ストッパ４６は、調整ボルトを緩めることにより上下に移動させることができ、その後、調整ボルトを締めることにより、当接部４６ａの高さ位置を調整することができる。この高さ位置が調整されたストッパ４６の当接部４６ａに、下方から導光板１１のフレーム１６を当接させることにより、取付装置４０に対する導光板１１の高さ位置、すなわち照明装置１全体の高さ位置を調整することができる。
【００８０】
以上説明したように、右の側板４３ｄには、ガイド部４４、外れ止め４４ａ、長孔４５ａを有するステー４５、当接部４６ａを有するストッパ４６が取り付けられている。これらと同様のものが、左の側板４３ｂにも取り付けられている。
【００８１】
図４に示すように、照明装置１側の右のフレーム１６には、前後方向の２箇所に固定具１７を介してばね部材１８が取り付けられている。固定具１７は、フレーム１６にねじ止めされた「Ｌ」字形の固定ベース１７ａとこれに連結された連結リング１７ｂとを有している。この連結リング１７ｂは、ばね部材１８の下端のコイル状部１８ａに連結されている。ばね部材１８の上端には、屈曲部１８ｂが形成されている。
【００８２】
以上説明したように、導光板１１の右のフレーム１６には、前後方向の２か所に、固定ベース１７ａ及び連結リング１７ｂを有する固定具１７と、コイル状部１８ａ及び屈曲部１８ｂを有するばね部材１８が設けてある。これらと同様のものが、左のフレーム１６にも設けてある。
【００８３】
図７（Ａ）〜（Ｃ）を参照して、取付装置４０に対する照明装置１の着脱動作を説明する。
【００８４】
図７（Ａ）は取付装置４０に照明装置１が取り付けられている状態を示す。このとき、照明装置１側のばね部材１８は、取付装置４０側のステー４５の長孔４５ａに下方から挿入されて上端を大きく開いた状態となっている。これにより、照明装置１はばね部材１８によって上方に付勢された状態で、ストッパ４６の当接部４６ａに当接されて、上下方向の位置決めがなされている。
【００８５】
図７（Ｂ）に示すように、照明装置１の導光板１１における後端側（ストッパ４６がない側）を下方から押し上げる。これにより、導光板１１は、後側のストッパ４６を支点として、ばね部材１８の付勢力に抗して前端側が下方に下がる。この前端側を一方の手で握り、後端側を他方の手で下方に押し下げて、導光板１１を水平にする。
【００８６】
その後、図７（Ｃ）に示すように、導光板１１全体を下方に押し下げる。このとき、ばね部材１８の先端の屈曲部１８ｂがステー４５に引っかかって、それ以上の押し下げができなくなる。
【００８７】
つづいて、ばね部材１８の上端側を手で握って幅を狭め、ステー４５の長孔４５ａから引き抜く。これにより、照明装置１全体を取付装置４０から取り外すことができる。
【００８８】
なお、照明装置１を取付装置４０に取り付ける際には、上述とは逆の手順を踏むことにより、図７（Ａ）に示す状態に取り付けることができる。
【００８９】
以上説明した照明装置１の作用、効果を以下に整理する。
【００９０】
・照明装置１において、第１照明器具１０は、第１光源１２から発生させた第１の光を、導光板１１の左右の一対の端面ｄ，ｆに入射させ、さらに、導光板１１の表面ａ側から出射させて面状の拡散配向を行うことができる。また、第２照明器具２０は、第２光源２２から発生させた第２の光を、取付孔１１ａを介して出射させて指向性のある配向を行うことができる。すなわち、第１照明器具１０と第２照明器具２０との一方を単独で使用することにより、拡散配向と指向性のある配向とを選択的に行うことができ、さらに、第１照明器具１０と第２照明器具２０との双方を使用することにより、複合配向を行うことができる。
【００９１】
・第２照明器具２０は、第１照明器具１０の導光板１１の裏面ｂ側に配設されているので、第１照明器具１０と第２照明器具２０とによって構成される照明装置１は、その占有面積がほぼ第１照明器具１０の占有面積内に収まるため、照明装置１全体としての占有面積の増加を抑制することができる。すなわち、第２照明器具２０は、第１照明器具１０に対して占有面積を増加させる方向に隣接して設けるのではなく、第１照明器具１０の裏面ｂ側に第１照明器具１０と重なるように配設するため、照明装置１全体としての占有面積の増加を抑制することができる。
【００９２】
・第２照明器具２０は、第１照明器具１０に隣接して配置する場合と異なり、第１照明器具１０の導光板１１の取付孔１１ａの裏面ｂ側に配設することができるため、導光板１１における取付孔１１ａの穿設位置を適宜に設定することによりデザイン的に優れたものとすることができる。
【００９３】
・照明装置１において、第１照明器具１０は、第１の光を導光板１１の表面ａから均一な面状に出射して拡散配向することができる。
【００９４】
・照明装置１において、導光板１１は、正方形又は長方形に形成されていて、相互に対向する左右の一対の端面ｄ，ｆのそれぞれに沿って第１光源１２が配設され、さらに、取付孔１１ａが中心線Ｃｎ上に形成されているので、導光板１１に取付孔１１ａを形成することに起因する、表面ａから出射する第１の光の均一性の低下を抑制することができる。すなわち、例えば、導光板１１が正方形又は長方形に形成されていて、４つの端面ｃ，ｄ，ｅ，ｆのうちの１つの端面にのみ第１光源１２が配設されている場合には、取付孔１１ａを形成することにより、端面から入射されてこれに対向する端面に向かって進行する光は、取付孔１１ａで中断されるために、取付孔１１ａよりも進行方向下流側には、光がいかない部分ができて、均一性が低下するおそれがある。第１光源１２を左右の一対の端面ｄ，ｆのそれぞれに沿って配設し、さらに、取付孔１１ａを中心線Ｃｎ上に形成することにより、取付孔１１ａを形成することに起因する、出射光の均一性の低下を抑制することができる。
【００９５】
・照明装置１において、取付孔１１ａの内周面１１ｂに遮光処理を施すことにより、第１の光が内周面１１ｂから漏れることに起因する、取付孔１１ａ近傍の環状の不要な光を抑制することができる。遮光処理としては、内周面１１ｂに例えば、黒の塗料を塗る、遮光テープを張る、他の部材（取付ホルダ３０）で覆う等がある。
【００９６】
・照明装置１において、取付孔１１ａに取付ホルダ３０を装着し、この取付ホルダ３０によって第２照明器具２０を保持することができる。このように、第１照明器具１０により、取付ホルダ３０を介して第２照明器具２０を保持することができるため、第２照明器具２０を保持するための別個の部材を設ける必要がなく、その分、構成を簡略化することができる。また、第１照明器具１０と第２照明器具２０とによって構成された照明装置１を、例えば、天井Ｃに取り付ける際、照明装置１全体を一体なものとして取り扱うことができ、取付作業の簡素化を図ることができる。
【００９７】
＜実施形態２＞
図８〜図１０を参照して本発明を適用した実施形態２に係る照明装置２について説明する。
【００９８】
ここで、図８（Ａ）〜（Ｃ）は実施形態２の照明装置２を説明する図であり、このうち（Ａ）は正面図、（Ｂ）は平面図、（Ｃ）は右側面図である。
【００９９】
また、図９（Ａ）〜（Ｃ）は取付装置４０によって天井Ｃに設置された照明装置２を説明する図であり、このうち（Ａ）は平面図、（Ｂ）は（Ａ）中のＡ−Ａ線矢視図、（Ｃ）は（Ａ）中のＢ−Ｂ線矢視図である。
【０１００】
また、図１０（Ａ）〜（Ｃ）は実施形態２の他の照明装置２Ａを説明する図であり、このうち（Ａ）は正面図、（Ｂ）は平面図、（Ｃ）は右側面図である。
【０１０１】
図８、図９に示す照明装置２は、導光板１１Ｂが、長方形に形成され、さらに、一対の左右の端面ｄ，ｆから等距離にある中心線Ｃｎ上の、前後方向の２箇所に取付孔１１ａが形成されている。そして、それぞれの取付孔１１ａに取付ホルダ（不図示）を介して第２照明器具２０としてのアジャスタブルタイプのダウンライト２０Ａが保持されている。他の構成については、実施形態１の照明装置１とほぼ同様である。
【０１０２】
本実施形態において、第１光源（不図示）は、相互に対向する左右の一対の端面ｄ，ｆに沿って配設されている。これら端面ｄ，ｆは、長方形の長辺に対応する端面である。
【０１０３】
図９に示すように、照明装置２を天井Ｃに設置するための取付装置４０Ａは、照明装置２が前後方向に長くなったことに伴い、それに対応して前後方向に長くなり、さらに、ばね部材１８等の配設個数が４個に増加している。
【０１０４】
上述の照明装置２は、上述の実施形態１の照明装置２とほぼ同様の効果を奏することができる。
【０１０５】
さらに、例えば、導光板１１Ａの端面ｄ，ｆに沿って配設する第１光源をそれぞれ前側（端面ｃ側）と後側（端面ｅ側）との２つのブロックにわけてそれぞれのブロックごとに点灯・消灯を独立に制御し、また、２つの第２照明器具２０をそれぞれ独立に制御できるようにすれば、種々のバリエーションの配光が可能となる。
【０１０６】
図１０に示す照明装置２Ａは、上述の照明装置２における、第２照明器具２０としてのアジャスタブルタイプのダウンライト２０Ａを、埋め込みタイプのダウンライト２０Ｂに代えたものであり、その他の構成は、照明装置２と同様である。
【０１０７】
＜実施形態３＞
図１１を参照して本発明を適用した実施形態３に係る照明装置３について説明する。
【０１０８】
ここで、図１１は、実施形態３の照明装置３を説明する平面図である。
【０１０９】
照明装置３は、第１照明器具１０の導光板として、正方形や長方形ではなく、円形に形成された導光板１１Ｂを使用し、その外周の端面ｇを円形のフレーム１６Ａで覆っている。円形のフレーム１６Ａの内側には、導光板１１Ｂの端面ｇに沿って第１光源（不図示）が配設されている。また、導光板１１Ｂの中心Ｏには、取付孔１１ａが穿設されている。この取付孔１１ａには、取付ホルダ３０が装着されていて、この取付ホルダ３０は、第２照明器具２０を保持している。
【０１１０】
本実施形態の照明装置３は、第１照明器具１０による、円形で面状の均一の出射光による拡散配向と、第２照明器具２０による指向性のある配向の少なくとも一方を行うことができる。
【０１１１】
なお、円形の導光板１１Ｂは、例えば、中心Ｏに近づくほど反射ドットの面積が大きいドットパターンを採用している。
【０１１２】
＜実施形態４＞
図１２（Ａ）〜（Ｊ）を参照して本発明を適用した照明装置１，２について説明する。これらは、正方形の導光板１１及び長方形の導光板１１Ａと、第２照明器具２０の数及び位置と、第１光源１２の位置との組み合わせパターンを説明する模式図である。
【０１１３】
図１２（Ａ）〜（Ｄ）は、正方形の導光板１１を使用した例を示し、また、図１２（Ｅ）〜（Ｊ）は長方形の導光板１１Ａを使用した例を示している。正方形の導光板１１及び長方形の導光板１１Ａは、いずれも前の端面ｃ、左の端面ｄ、後の端面ｅ、右の端面ｆとなっている。そして、左右の端面ｄ，ｆは、一対の端面ｄ，ｆとなり、また、前後の端面ｃ，ｅも一対の端面ｃ，ｅとなる。なお、長方形の導光板１１Ａは、左右の端面ｄ，ｆが長辺に対応し、前後の端面ｃ，ｅが短辺に対応している。さらに、正方形の導光板１１及び長方形の導光板１１Ａは、いずれも第１光源１２が配置された一対の端面から等距離にある直線が中心線Ｃｎとなり、他の一対の端面から等距離にある直線が中心線Ｃｍとなっている。なお、（Ａ）〜（Ｊ）に示す正方形の導光板１１及び長方形の導光板１１Ａは、いずれも、図示のように第１光源１２及び第２照明器具２０が配置された際に、表面側から均一に光を出射するように、例えば、反射ドットのドットパターンが形成されているものとする。
【０１１４】
図１２（Ａ）の照明装置１は、実施形態１の図１等で説明した照明装置１である。
【０１１５】
この照明装置１は、第１光源１２が、正方形の導光板１１の左右の一対の端面ｄ，ｆのそれぞれに沿って配設され、また、第２照明器具２０が、導光板１１の中心（中心線Ｃｎと中心線Ｃｍとの交点）に配設されている。なお、第２照明器具２０（導光板の取付孔）は、中心線Ｃｎ上の任意の点に配置することができる。
【０１１６】
図１２（Ｂ）の照明装置は、第１光源１２が、正方形の導光板１１の前後の一対の端面ｃ，ｅのそれぞれに沿って配設され、また、第２照明器具２０が、導光板１１の中心に配設されている。なお、第２照明器具２０（導光板の取付孔）は、中心線Ｃｎ上の任意の点に配置することができる。
【０１１７】
図１２（Ｃ）の照明装置は、第１光源１２が、正方形の導光板１１の左右の一対の端面ｄ，ｆ、及び前後一対の端面ｃ，ｅのそれぞれに沿って配設され、また、第２照明器具２０が、導光板１１の中心に配設されている。
【０１１８】
図１２（Ｄ）の照明装置は、第１光源１２が、正方形の導光板１１の左右の一対の端面ｄ，ｆのそれぞれに沿って配設され、また、第２照明器具２０が、中心線Ｃｎ上の異なる２箇所に配設されている。なお、図示例では、２個の第２照明器具２０は、中心線Ｃｍを基準として、線対称の位置に配設されている。
【０１１９】
図１２（Ｅ）の照明装置１は、実施形態２の図８等で説明した照明装置２である。
【０１２０】
この照明装置２は、第１光源１２が、長方形の導光板１１Ａの左右の一対の端面ｄ，ｆのそれぞれに沿って配設され、また、第２照明器具２０が、導光板１１Ａの中心に配設されている。
【０１２１】
図１２（Ｆ）の照明装置は、第１光源１２が、長方形の導光板１１Ａの前後の一対の端面ｃ，ｅのそれぞれに沿って配設され、また、第２照明器具２０が、導光板１１Ａの中心に配設されている。
【０１２２】
図１２（Ｇ）の照明装置は、第１光源１２が、長方形の導光板１１Ａの左右の一対の端面ｄ，ｆ、及び前後の一対の端面ｃ，ｅのそれぞれに沿って配設され、また、第２照明器具２０が、導光板１１Ａの中心に配設されている。
【０１２３】
図１２（Ｈ）の照明装置は、第１光源１２が、長方形の導光板１１Ａの左右の一対の端面ｄ，ｆのそれぞれに沿って配設され、また、第２照明器具２０が、中心線Ｃｎ上の異なる２箇所に配設されている。なお、図示例では、２個の第２照明器具２０は、中心線Ｃｍを基準として、線対称の位置に配設されている。
【０１２４】
図１２（Ｉ）の照明装置は、第１光源１２が、長方形の導光板１１Ａの左右の一対の端面ｄ，ｆのそれぞれに沿って２個ずつ配設され、また、第２照明器具２０が、中心線Ｃｎ上の異なる２箇所に配設されている。なお、図示例では、２個の第２照明器具２０は、中心線Ｃｍを基準として、線対称の位置で、かつ一対の端面ｃ，ｅと中心線Ｃｍとの間の中心に配設されている。
【０１２５】
図１２（Ｊ）の照明装置は、第１光源１２が、長方形の導光板１１Ａの左右の一対の端面ｄ，ｆのそれぞれに沿って配設され、また、第２照明器具２０が、中心線Ｃｎ上の異なる３箇所に配設されている。なお、図示例では、３個の第２照明器具２０のうち、中央の１個は、中心に配置され、残りの２個は、中心線Ｃｍを基準として、線対称の位置で、かつ一対の端面ｃ，ｅと中心線Ｃｍとの間の中心に配設されている。なお、第２照明器具２０は、中心線Ｃｎ上の４箇所以上に配設することも可能である。
【０１２６】
＜実施形態５＞
図１３、図１４を参照して、実施形態５に係る照明装置５について説明する。
【０１２７】
ここで、図１３は、レール部材Ｒに対する照明装置５の取付けを説明する斜視図である。なお、図１３中の左上に矢印で示す上下前後左右の方向が、照明装置５の上下前後左右に対応するものとする。また、図１４は、取付ホルダ５０を説明する分解斜視図である。
【０１２８】
照明装置５は、図１３に示すように、正方形の第１照明器具１０、その中心に取り付けられた取付ホルダ５０、及び取付ホルダ５０を介して第１照明器具１０に取り付けられたダウンライト２０Ｂ（第２照明器具２０）を備えている。
【０１２９】
第１照明器具１０は、正方形の導光板１１（図１２（Ｂ）参照）、及びこの導光板１１をその表面ａ側と裏面ｂ側とから挟み込むフロントカバー６１とバックカバー６２を有している。
【０１３０】
導光板１１は、正方形に形成されていて、中心には、取付孔１１ａが穿設されている。導光板１１は、前後左右の端面ｃ，ｅ，ｄ，ｆを有している。
【０１３１】
フロントカバー６１は、導光板１１の表面ａの４つの端縁近傍を額縁状に覆うとともに、導光板１１の前後左右の４つの端面ｃ，ｅ，ｄ，ｆを、前後左右の４つの側板６１ｃ，６１ｅ，６１ｄ，６１ｆによって覆っている。このうち左右の側板６１ｄ，６１ｆには、それぞれ前後方向の中央に、前後に長い帯状の取付部６１ｇが突設されている。また、前後の側板６１ｃ，６１ｅと導光板１１の前後の端面ｃ，ｅとの間には、これら端面ｃ，ｅに沿ってそれぞれ第１光源１２（図１２（Ｂ）参照）が配設されている。上述のように、第１光源１２から出て導光板１１の前後の端面ｃ，ｅに入射された第１の光は、導光板１１の表面ａから均一な面状の光として出射される。
【０１３２】
バックカバー６２は、正方形の薄板で形成されている。バックカバー６２は、その周縁部に額縁状の凸部６２ａが形成され、また、凸部６２ａの内側には、前後左右に正方形状の４つの凸部６２ｂが形成されている。バックカバー６２は、このように、凸部６２ａ，６２ｂが形成されることにより、凸部のない１枚の薄板と比較して、強度を高めることができる。バックカバー６２の中心には、導光板１１の中心の取付孔１１ａに対応する透孔（不図示）が穿設されている。
【０１３３】
バックカバー６２の４つの凸部６２ｂには、３つのケース６３ａ，６３ｂ，６３ｃ、及び上カバー６４が固定されている。３つのケース６３ａ〜６３ｃは、直方体状に形成されていて、第１照明器具１０及びダウンライト２０Ｂのドライバー（不図示）や電源（不図示）を収納している。ケース６３ａは、その左端部が前側左の凸部６２ｂに固定され、右端部が前側右の凸部６２ｂに固定されている。また、ケース６３ｂ，６３ｃは、それぞれの左端部が後側左の凸部６２ｂに固定され、それぞれの右端部が後側右の凸部６２ｂに固定されている。このように、３つのケース６３ａ〜６３ｃは、左右の２つの凸部６２ｂに跨って固定されることにより、バックカバー６２、ひいては導光板１１が、ダウンライト２０Ｂの自重により、主に左端側及び右端側に対して、中心近傍が下方に湾曲することを防止している。
【０１３４】
一方、上カバー６４は、３つのケース６３ａ〜６３ｃ、及びダウンライト２０Ｂを上方から覆うとともに、前後左右の４箇所が、それぞれ前後左右の４つの凸部６２ｂに固定されている。上カバー６４は、これにより、バックカバー６２、ひいては導光板１１が、ダウンライト２０Ｂの自重により、湾曲することを防止している。
【０１３５】
つまり、３つのケース６３ａ〜６３ｃ、及び上カバー６４は、それぞれ強度部材としても作用し、導光板１１が湾曲することに起因する出射光の均一性の低下を防止している。
【０１３６】
ダウンライト２０Ｂは、第１照明器具１０の中心に、取付ホルダ５０を介して、取り付けられている。ダウンライト２０Ｂについては、上述のものと同様であるので説明は省略する。
【０１３７】
取付ホルダ５０は、図１４に示すように、中心軸Ｃ０を基準とした２つの環状の部材、すなわち、ホルダ本体５１及びアダプタ５２によって構成されている。
【０１３８】
このうちアダプタ５２は、ほぼ円筒状に形成されている。アダプタ５２の内周面には、めねじ部５２ａが螺刻されている。アダプタ５２の下端部には、フック部５２ｂが外側に向けて突設されている。
【０１３９】
ホルダ本体５１は、ほぼ円筒状に形成されている。ホルダ本体５１の下端側の外周面には、上述のアダプタ５２のめねじ部５２ａが螺合されるおねじ部５１ａが形成されている。ホルダ本体５１の内周面の下端には、全周にわたって内向きの係合突起５１ｅが形成されている。ホルダ本体５１の上端には、周方向を３等分する位置のそれぞれにボルト座５１ｂが外向きに突設されている。これらのボルト座５１ｂには、固定ボルトＢ１が上方から螺合されている。また、周方向に隣接する２つのボルト座５１ｂの間には、別のボルト座５１ｃが外向きに突設されている。これらのボルト座５１ｃには、押圧ボルトＢ２が上方から螺合されている。各ボルト座５１ｃには、「Ｌ」字形の押圧部材５１ｄが押圧ボルトＢ２によって固定されている。
【０１４０】
上述の取付ホルダ５０は、第１照明器具１０の中心に取り付けられて、ダウンライト２０Ｂ（第２照明器具２０）を保持している。
【０１４１】
取付ホルダ５０を、第１照明器具１０に取り付けるには、まず、アダプタ５２を第１照明器具１０の表面側（導光板１１の表面ａ側）から取付孔１１ａに嵌合する。このとき、アダプタ５２の下端のフック部５２ｂが取付孔１１ａの内周面の下端縁に引っかかるようにする。フック部５２ｂは、その下端が、導光板１１の表面ａよりもわずかに下方に位置するとともに、取付孔１１ａの内周面の下端縁を下方から覆うことになる。これにより、内周面の下端縁での光の不要な反射、取付孔１１ａへの埃の侵入、取付孔１１ａの弛みを防止することができる。
【０１４２】
ホルダ本体５１を第１照明器具１０の上方からアダプタ５２に螺合し、固定ボルトＢ１を締め付けて、固定ボルトＢ１の先端と上述のアダプタ５２側のフック部５２ｂとの間で、バックカバー６２を介して導光板１１を挟み込む。
【０１４３】
以上で、第１照明器具１０に対する取付ホルダ５０の取付けが終了する。
【０１４４】
つづいて、ホルダ本体５１の内側に、上方からダウンライト２０Ｂを挿入し、コーン２１Ｂの下端のフランジ部２１ｂをホルダ本体５１の係合突起５１ｅに当接させる。押圧ボルトＢ２を締め付けて、押圧部材５１ｄの先端（下端）と係合突起５１ｅとの間でフランジ部２１ｂを挟持する。これにより、取付ホルダ５０にダウンライト２０Ｂを取り付けることができる。
【０１４５】
以上説明した照明装置５は、図１３に示すように、一対のスライダＲ１を介して、レール部材Ｒに取り付ける。
【０１４６】
スライダＲ１は、前後方向に長く形成され、レール部材Ｒの上部に跨るように配設されている。スライダは、横向きの固定ねじＮ１を緩めることで、レール部材Ｒに沿ってスライドさせて所定の位置に移動し、その後、固定ねじＮ１を締め付けることで位置決めすることができる。照明装置５は、上述のフロントカバー６１の左右の取付部６１ｇをスライダＲ１に固定ボルトＮ２とナット（不図示）で留めることで、一対のスライダＲ１を介して、一対のレール部材Ｒに取り付けることができる。なお、スライダＲ１側には、固定ボルトＮ２が貫通する縦長のボルト孔（不図示）が形成されている。これにより、レール部材Ｒの高さｈが異なる場合でも、照明装置５の高さ位置を調整して、照明装置５の下面（導光板１１の表面ａ）とレール部材Ｒの下端とを合わせることができる。
【０１４７】
本実施形態の照明装置５によれば、導光板１１を裏面ｂ側から挟持するバックカバー６２に凸部６２ａ，６２ｂを設け、さらに、ケース６３ａ〜６３ｃ、上カバー６４が強度部材としても作用するため、導光板１１の湾曲を抑制（防止）して、導光板１１の表面ａから出射される光の均一性を高めることができる。
【０１４８】
また、取付ホルダ５０をホルダ本体５１とアダプタ５２との２つの部材に分けて、両者を螺合することで全体を構成することにより、第１照明器具１０に対して、ダウンライト２０Ｂを安定して高い精度で取り付けることができる。
【０１４９】
なお、本実施形態においては、導光板１１が正方形である場合について説明したが、導光板１１Ａが長方形である場合もほぼ同様の構成とすることができる。
【符号の説明】
【０１５０】
１      実施形態１の照明装置
２，２Ａ  実施形態２の照明装置
３      実施形態３の照明装置
５      実施形態５の照明装置
１０    第１照明器具
１１，１１Ａ，１１Ｂ  導光板
１１ａ  取付孔
１１ｂ  内周面
１２    第１光源
２０    第２照明器具
２０Ａ  アジャスタブルタイプのダウンライト（第２照明器具）
２０Ｂ  埋め込みタイプのダウンライト（第２照明器具）
３０，５０    取付ホルダ
ａ      導光板の表面（出射面）
ｂ      導光板の裏面
Ｃｎ    第１の中心線（中心線）
ｃ      導光板の前の端面（端面）
ｄ      導光板の左の端面（端面）
ｅ      導光板の後の端面（端面）
ｆ      導光板の右の端面（端面）
ｇ      導光板の外周の端面（端面）
Ｏ      中心
【図１】
2016108278.tif 000003
【図２】
2016108278.tif 000004
【図３】
2016108278.tif 000005
【図４】
2016108278.tif 000006
【図５】
2016108278.tif 000007
【図６】
2016108278.tif 000008
【図７】
2016108278.tif 000009
【図８】
2016108278.tif 000010
【図９】
2016108278.tif 000011
【図１０】
2016108278.tif 000012
【図１１】
2016108278.tif 000013
【図１２】
2016108278.tif 000014
【図１３】
2016108278.tif 000015
【図１４】
2016108278.tif 000016
【国際調査報告】
2016108278.tif 000017
2016108278.tif 000018
2016108278.tif 000019
2016108278.tif 000020